(57)【要約】【課題】各種情報を効率よく表示できる画像形成装置を提供すること。【解決手段】多機能機は、パネルの第１領域内に、複数の最上層画像と複数の下位層画像とを含む階層構造を有する階層画像を表示させる。また、第２領域内に、多機能機の所定の機能に対応する下位層画像の表示に対応する第１ボタン画像を少なくとも１つ表示させる。複数の最上層画像には、第２ボタン画像を少なくとも１つ表示するための機能表示画像と、ショートカットボタンを少なくとも１つ表示するショートカット画像と、各種のコンテンツ情報を表示するためのホーム画像と、が含まれている。多機能機は、座標検出部が検出する指示座標が第１ボタン画像、第２ボタン画像、ショートカットボタン画像に対応する座標である場合に、指示座標に対応するボタン画像に対応する下位層画像を表示させる。多機能機は、複数の最上層画像の何れか１つを切り替え可能に第１領域内に表示する。【選択図】図７
2013092816.tif 000002
【特許請求の範囲】
【請求項１】
各種の画像を表示する表示手段と、前記表示手段の表示領域内の指示座標を検出する座標検出手段とを備え、前記座標検出手段が検出する指示座標に基づく処理を実行する画像形成装置であって、
前記表示手段の表示領域内に第１領域を定め、前記第１領域内に、それぞれ異なる情報を前記表示手段に表示するための画像であって、最上層に該当する複数の最上層画像と、最上層画像より下位層に該当する画像であって、前記画像形成装置の機構を利用するためのパラメータの設定を行うための情報を前記表示手段に表示するための画像、または、前記画像形成装置の機構を利用するためのパラメータに従って前記画像形成装置の機構の利用を実行するための情報を前記表示手段に表示するための画像のうち、少なくともいずれかである下位層画像と、を含む階層構造を有する階層画像を表示させる第１の表示制御手段と、
前記表示手段の表示領域内に第２領域を定め、前記第２領域内に前記画像形成装置の機能のうち、所定の機能に対応する下位層画像の表示に対応する第１ボタン画像を少なくとも１つ表示させる第２の表示制御手段と、
前記表示手段に、前記下位層画像を表示させる第３の表示制御手段と、
を備え、
複数の前記最上層画像には、
前記画像形成装置の機能のうち、前記第１ボタン画像に対応する下位層画像が対応する機能とは異なる機能に対応する下位層画像の表示に対応する第２ボタン画像を少なくとも１つ表示するための第１最上層画像と、
前記第１ボタン画像に対応する下位層画像および前記第２ボタン画像に対応する下位層画像のうち、いずれかの下位層画像の表示に従って設定されたパラメータに従って実行される機能に対応する下位層画像の表示に対応する第３ボタン画像を少なくとも１つ表示する第２最上層画像と、
各種のコンテンツ情報を前記表示手段に表示するための第３最上層画像と、が含まれており、
前記第３の表示制御手段は、座標検出手段が検出する指示座標が前記第１ボタン画像に対応する座標、または、前記第２ボタン画像に対応する座標、または、前記第３ボタン画像に対応する座標、である場合に、座標検出手段が検出する指示座標に対応するボタン画像に対応する下位層画像を表示させ、
前記第１の表示制御手段は、複数の前記最上層画像の何れか１つを切り替え可能に前記第１領域内に表示することを特徴とする画像形成装置。
【請求項２】
前記表示手段の表示領域内に第３領域を定め、前記第３領域内に前記画像形成装置の状態に関する状態表示画像を少なくとも１つ表示する第４の表示制御手段をさらに備え、
前記第４の表示制御手段は、前記第１の表示制御手段によって前記第１領域内にいずれの前記階層画像が表示されている場合でも、前記状態表示画像を前記第３領域内に表示することを特徴とする請求項１に記載の画像形成装置。
【請求項３】
前記第２の表示制御手段は、前記第１の表示制御手段によって前記第１領域内にいずれの前記階層画像が表示されている場合でも、前記表示手段の表示領域内の同一の位置を、前記第２領域の位置とし、
前記第４の表示制御手段は、前記第１の表示制御手段によって前記第１領域内にいずれの前記階層画像が表示されている場合でも、前記表示手段の表示領域内の同一の位置を、前記第３領域の位置とすることを特徴とする請求項２に記載の画像形成装置。
【請求項４】
前記第１の表示制御手段は、
前記座標検出手段によって指示座標が前記第１領域内で検出されるとともに、検出された指示座標の移動が検出された場合に、指示座標の移動方向が予め定められた第１所定方向に対応する場合には、指示座標の移動方向に応じて前記最上層画像を切り替えて前記第１領域に表示することを特徴とする請求項１〜３の何れか１項に記載の画像形成装置。
【請求項５】
前記第２の表示制御手段は、前記第２領域内に複数の前記第１ボタン画像を第１の列方向に沿うように並べて表示し、
前記第４の表示制御手段は、前記第３領域内に複数の前記状態表示画像を第２の列方向に沿うように並べて表示し、
前記第１の列方向または前記第２の列方向の少なくとも一方は、前記第１所定方向と平行であることを特徴とする請求項４に記載の画像形成装置。
【請求項６】
前記第１の表示制御手段は、
前記座標検出手段によって指示座標が前記第２領域内で検出されるとともに、検出された指示座標の移動が検出された場合には、指示座標の移動方向に応じて前記最上層画像を切り替えて前記第１領域に表示する処理を実行しない
ことを特徴とする請求項１〜５の何れか１項に記載の画像形成装置。
【請求項７】
前記第２の表示制御手段は、
前記座標検出手段によって指示座標が前記第２領域内で検出されるとともに、検出された指示座標の移動が検出された場合に、指示座標の移動方向が前記第１所定方向と直交する第２所定方向に対応する場合には、指示座標の移動方向に応じて前記第１ボタン画像を切り替えて前記第２領域に表示することを特徴とする請求項１〜６の何れか１項に記載の画像形成装置。
【請求項８】
前記第１の表示制御手段は、前記第１最上層画像内に複数の前記第２ボタン画像を表示するとともに、前記第２最上層画像内に複数の前記第３ボタン画像を表示し、
前記第４の表示制御手段は、前記第３領域を第２ボタン画像および前記第３ボタン画像が表示されている領域の領域外に定めることを特徴とする請求項７に記載の画像形成装置。
【請求項９】
各種の画像を表示する表示手段と、前記表示手段の表示領域内の指示座標を検出する座標検出手段とを備え、前記座標検出手段が検出する指示座標に基づく処理を実行する画像形成装置のコンピュータが読み取り可能なプログラムであって、
前記コンピュータを、
前記表示手段の表示領域内に第１領域を定め、前記第１領域内に、それぞれ異なる情報を前記表示手段に表示するための画像であって、最上層に該当する複数の最上層画像と、最上層画像より下位層に該当する画像であって、前記画像形成装置の機構を利用するためのパラメータの設定を行うための情報を前記表示手段に表示するための画像、または、前記画像形成装置の機構を利用するためのパラメータに従って前記画像形成装置の機構の利用を実行するための情報を前記表示手段に表示するための画像のうち、少なくともいずれかである下位層画像と、を含む階層構造を有する階層画像を表示させる第１の表示制御手段と、
前記表示手段の表示領域内に第２領域を定め、前記第２領域内に前記画像形成装置の機能のうち、所定の機能に対応する下位層画像の表示に対応する第１ボタン画像を少なくとも１つ表示させる第２の表示制御手段と、
前記表示手段に、前記下位層画像を表示させる第３の表示制御手段と、して機能させ、
複数の前記最上層画像には、
前記画像形成装置の機能のうち、前記第１ボタン画像に対応する下位層画像が対応する機能とは異なる機能に対応する下位層画像の表示に対応する第２ボタン画像を少なくとも１つ表示するための第１最上層画像と、
前記第１ボタン画像に対応する下位層画像および前記第２ボタン画像に対応する下位層画像のうち、いずれかの下位層画像の表示に従って設定されたパラメータに従って実行される機能に対応する下位層画像の表示に対応する第３ボタン画像を少なくとも１つ表示する第２最上層画像と、
各種のコンテンツ情報を前記表示手段に表示するための第３最上層画像と、が含まれており、
前記第３の表示制御手段は、座標検出手段が検出する指示座標が前記第１ボタン画像に対応する座標、または、前記第２ボタン画像に対応する座標、または、前記第３ボタン画像に対応する座標、である場合に、座標検出手段が検出する指示座標に対応するボタン画像に対応する下位層画像を表示させ、
前記第１の表示制御手段は、複数の前記最上層画像の何れか１つを切り替え可能に前記第１領域内に表示させることを特徴とするプログラム。
【請求項１０】
各種の画像を表示する表示手段と、前記表示手段の表示領域内の指示座標を検出する座標検出手段とを備え、前記座標検出手段が検出する指示座標に基づく処理を実行する画像形成装置の制御方法であって、
前記表示手段の表示領域内に第１領域を定め、前記第１領域内に、それぞれ異なる情報を前記表示手段に表示するための画像であって、最上層に該当する複数の最上層画像と、最上層画像より下位層に該当する画像であって、前記画像形成装置の機構を利用するためのパラメータの設定を行うための情報を前記表示手段に表示するための画像、または、前記画像形成装置の機構を利用するためのパラメータに従って前記画像形成装置の機構の利用を実行するための情報を前記表示手段に表示するための画像のうち、少なくともいずれかである下位層画像と、を含む階層構造を有する階層画像を表示させる第１の表示制御ステップと、
前記表示手段の表示領域内に第２領域を定め、前記第２領域内に前記画像形成装置の機能のうち、所定の機能に対応する下位層画像の表示に対応する第１ボタン画像を少なくとも１つ表示させる第２の表示制御ステップと、
前記表示手段に、前記下位層画像を表示させる第３の表示制御ステップと、
を備え、
複数の前記最上層画像には、
前記画像形成装置の機能のうち、前記第１ボタン画像に対応する下位層画像が対応する機能とは異なる機能に対応する下位層画像の表示に対応する第２ボタン画像を少なくとも１つ表示するための第１最上層画像と、
前記第１ボタン画像に対応する下位層画像および前記第２ボタン画像に対応する下位層画像のうち、いずれかの下位層画像の表示に従って設定されたパラメータに従って実行される機能に対応する下位層画像の表示に対応する第３ボタン画像を少なくとも１つ表示する第２最上層画像と、
各種のコンテンツ情報を前記表示手段に表示するための第３最上層画像と、が含まれており、
前記第３の表示制御ステップは、座標検出手段が検出する指示座標が前記第１ボタン画像に対応する座標、または、前記第２ボタン画像に対応する座標、または、前記第３ボタン画像に対応する座標、である場合に、座標検出手段が検出する指示座標に対応するボタン画像に対応する下位層画像を表示させ、
前記第１の表示制御ステップは、複数の前記最上層画像の何れか１つを切り替え可能に前記第１領域内に表示することを特徴とする制御方法。
【発明の詳細な説明】
【技術分野】
【０００１】
本願は、各種の画像を形成する画像形成装置、画像形成装置の制御方法およびプログラムに関する。
【背景技術】
【０００２】
１つの操作画面に対して多くの情報を表示するための工夫として、例えば、階層構造のメニュー表示化を行う方法がある。階層構造では、ある階層の表示画面内のボタン画像を選択すると次の階層の画面に遷移する。次の階層の画面には、別のボタン画像が複数表示される。１つの操作画面に多数の情報を表示する技術として、特許文献１の技術が開示されている。
【先行技術文献】
【特許文献】
【０００３】
【特許文献１】特開２００４−３４２０４５号公報
【発明の概要】
【発明が解決しようとする課題】
【０００４】
スキャナ機能、プリンタ機能、コピー機能やファクシミリ機能などの多機能化の進んだ複合機において、多くの機能の設定を深い階層構造により表示させる方法は、ユーザが選択を所望する機能を画面表示させるために必要な操作数を増加させる傾向にあり、必要な機能がどこにあるか、またどの機能を使ったら良いのかがわかりにくく、使い勝手が良いとは言えない。本明細書では、このような不便性を解消することができる技術を提供する。
【課題を解決するための手段】
【０００５】
本願に記載の画像形成装置は、各種の画像を表示する表示手段と、表示手段の表示領域内の指示座標を検出する座標検出手段とを備え、座標検出手段が検出する指示座標に基づく処理を実行する画像形成装置であって、表示手段の表示領域内に第１領域を定め、第１領域内に、それぞれ異なる情報を表示手段に表示するための画像であって、最上層に該当する複数の最上層画像と、最上層画像より下位層に該当する画像であって、画像形成装置の機構を利用するためのパラメータの設定を行うための情報を表示手段に表示するための画像、または、画像形成装置の機構を利用するためのパラメータに従って画像形成装置の機構の利用を実行するための情報を表示手段に表示するための画像のうち、少なくともいずれかである下位層画像と、を含む階層構造を有する階層画像を表示させる第１の表示制御手段と、表示手段の表示領域内に第２領域を定め、第２領域内に画像形成装置の機能のうち、所定の機能に対応する下位層画像の表示に対応する第１ボタン画像を少なくとも１つ表示させる第２の表示制御手段と、表示手段に、下位層画像を表示させる第３の表示制御手段と、を備え、複数の最上層画像には、画像形成装置の機能のうち、第１ボタン画像に対応する下位層画像が対応する機能とは異なる機能に対応する下位層画像の表示に対応する第２ボタン画像を少なくとも１つ表示するための第１最上層画像と、第１ボタン画像に対応する下位層画像および第２ボタン画像に対応する下位層画像のうち、いずれかの下位層画像の表示に従って設定されたパラメータに従って実行される機能に対応する下位層画像の表示に対応する第３ボタン画像を少なくとも１つ表示する第２最上層画像と、各種のコンテンツ情報を表示手段に表示するための第３最上層画像と、が含まれており、第３の表示制御手段は、座標検出手段が検出する指示座標が第１ボタン画像に対応する座標、または、第２ボタン画像に対応する座標、または、第３ボタン画像に対応する座標、である場合に、座標検出手段が検出する指示座標に対応するボタン画像に対応する下位層画像を表示させ、第１の表示制御手段は、複数の最上層画像の何れか１つを切り替え可能に第１領域内に表示することを特徴とする。
【０００６】
本願に記載の画像形成装置では、第１〜第３最上層画像を含んだ複数の最上層画像の何れか１つを、切り替え可能に第１領域内に表示することができる。よって、階層構造を有する階層画像において、最上層画像を増加させることができるため、階層構造が必要以上に深くなることを防止できる。これにより、ユーザが選択を所望する機能を画面表示させるために必要な操作数を減少させることが可能である。また、それぞれの最上位画像は、第１ボタン画像に対応する下位層画像が対応する機能とは異なる機能に対応するボタンを含む画像、下位層画像の表示に従って設定されたパラメータに対応するボタンを含む画像、コンテンツ情報の表示に対応するボタンを含む画像であるため、ユーザは自分のニーズに最も合った画像を最上位画像としておけば、簡単にボタンに対応する情報にアクセスできる。このように、本願に記載の画像形成装置では、ユーザの利便性を向上させることができる。
【０００７】
請求項２に記載の画像形成装置では、第１の表示制御手段によって第１領域内にいずれの階層画像が表示されている場合においても、状態表示画像を第３領域内に表示することができる。これにより、画像形成装置の状態をユーザに認識させやすくすることができる。
【０００８】
請求項３に記載の画像形成装置によれば、第１の表示制御手段によって第１領域内にいずれの階層画像が表示されている場合においても、第１ボタン画像の表示位置や、状態表示画像の表示位置を同一位置にすることができる。これにより、第１ボタン画像や状態表示画像の表示位置をユーザに認識させやすくすることができる。
【０００９】
請求項４に記載の画像形成装置によれば、ユーザが第１領域内の何れかの位置をタッチし、第１所定方向に払うように押下点を移動させることによって、最上層画像を切り替えることができる。これにより、直感的な操作により最上層画像の切り替えを行うことができるため、ユーザの利便性が高めることができる。
【００１０】
請求項５に記載の画像形成装置によれば、ユーザが最上層画像を切り替える際に押下点を第１所定方向に移動させた場合に、押下点の移動軌跡が、第１ボタン画像または状態表示画像の少なくとも一方と交差してしまう事態を防止することができる。これにより、最上層画像の切り替えを行う際に、押下点が第１ボタン画像または状態表示画像の表示領域まで移動してしまい、画像形成装置が誤動作してしまう事態を防止できる。また、最上層画像の切り替え操作が多数回行われた場合には、押下点を移動させる軌道に沿って座標検出手段の検出部が劣化する場合がある。しかし請求項５に記載の画像形成装置によれば、第１ボタン画像の表示領域または状態表示画像の表示領域の少なくとも一方について、最上層画像の切り替え操作に起因する座標検出手段の検出部の劣化を防止することができる。
【００１１】
請求項６に記載の画像形成装置によれば、ユーザが第２領域内の何れかの位置をタッチし、押下点を移動させた場合には、最上層画像を切り替えない処理とすることができる。これにより、最上層画像の切り替えの誤動作を防止することができる。
【００１２】
請求項７に記載の画像形成装置によれば、ユーザが第２領域内の何れかの位置をタッチし、第２所定方向に払うように押下点を移動させることによって、第２領域に表示される第１ボタン画像を切り替えることができる。これにより、直感的な操作により第１ボタン画像の切り替えを行うことができるため、ユーザの利便性が高めることができる。
【００１３】
請求項８に記載の画像形成装置によれば、ユーザが第２ボタン画像や第３ボタン画像を選択する際に、誤って状態表示画像を選択してしまう事態を防止できる。また、第２ボタン画像や第３ボタン画像の選択操作が多数回行われた場合には、第２ボタン画像や第３ボタン画像が表示されている領域の座標検出手段の検出部が劣化する場合がある。しかし請求項８に記載の画像形成装置によれば、状態表示画像を表示する第３領域についての、座標検出手段の検出部の劣化を防止することができる。
【図面の簡単な説明】
【００１４】
【図１】多機能機の外観図および構成図である。
【図２】多機能機の動作を示すフローチャート（その１）である。
【図３】多機能機の動作を示すフローチャート（その２）である。
【図４】多機能機の動作を示すフローチャート（その３）である。
【図５】多機能機の動作を示すフローチャート（その４）である。
【図６】多機能機の動作を示すフローチャート（その５）である。
【図７】パネルの表示例（その１）である。
【図８】パネルの表示例（その２）である。
【図９】パネルの表示例（その３）である。
【図１０】パネルの表示例（その４）である。
【発明を実施するための形態】
【００１５】
＜実施例＞
図１に、本願に係る実施例として例示される多機能機１０（Multifunction Peripheral（ＭＦＰ）ともいう）のブロック図を示す。
【００１６】
＜多機能機１０の構成＞
多機能機１０は、プリンタ機能、スキャナ機能、コピー機能、ファクシミリ機能、電話機能などを有する装置である。多機能機１０は、制御部１２、パネル５０、座標検出部５１、印刷部５４、スキャン部５６、ＦＡＸ部５８、ネットワークインターフェイス６０、無線ＬＡＮ通信部６１、ホームボタンＢ１０１等を備える。制御部１２は、ＣＰＵ１４、ＲＯＭ１６、ＲＡＭ３０、ＮＶＲＡＭ（Non Volatile RAM）４０、等を有する。
【００１７】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。
【００１８】
ＲＡＭ３０は、揮発性のメモリであり、基本機能プログラム１８に従って処理が実行される過程で生成される各種データを記憶するための記憶領域である。記憶されるデータの例としては、表示待機画面種別が挙げられる。表示待機画面種別は、複数存在する最上層画像のうちの何れの画像を第１領域Ａ１に表示するか、についてのポインタとして機能するデータである。
【００１９】
ＮＶＲＡＭ４０には、各種のパラメータが記憶されている。記憶されるパラメータの例としては、ホームボタン設定、壁紙画像設定、が挙げられる。ホームボタン設定は、ホームボタンＢ１０１がタッチされた場合に、複数の最上層画像（機能表示画像Ｐ１〜ホーム画像Ｐ３）のうちの何れの画像を第１領域Ａ１に表示するかについての設定である。壁紙画像設定は、第１最上層画像から第３最上層画像の各々において、第１領域Ａ１の背景に貼り付けられる画像（いわゆる壁紙画像）についての設定である。これらのパラメータは、予めユーザによって記憶されてもよい。
【００２０】
印刷部５４は、印刷を実行する部位である。スキャン部５６は、原稿を読み取ってデータ化する部位である。ＦＡＸ部５８は、データ化された原稿を送受信する部位である。ネットワークインターフェイス６０は、有線ＬＡＮ回線４に接続されており、各種のデータを送受信する部位である。無線ＬＡＮ通信部６１は、無線ＬＡＮ通信によってアクセスポイント（不図示）と各種の通信を実行する部位である。
【００２１】
図１に示すように、多機能機１０の上面正面側には、パネル５０およびホームボタンＢ１０１が設けられている。パネル５０は、各種の画像を表示する機能を有する。パネル５０の表面には、透明な平板部を有する座標検出部５１が、パネル５０を覆うように備えられている。座標検出部５１は、ユーザの指や、スタイラス（タッチパネル用ペン）が接触または接近された指示座標を検出する機能を有する。パネル５０および座標検出部５１は、いわゆるタッチパネルとして機能する。またホームボタンＢ１０１は、パネル５０の表示領域外に備えられている。ホームボタンＢ１０１は、静電容量タッチボタンであってもよい。
【００２２】
図７〜図９に、パネル５０に表示される画像の表示例を示す。パネル５０には、第１領域Ａ１から第３領域Ａ３が形成されている。第１領域Ａ１から第３領域Ａ３には、基本機能プログラム１８のＡＰＩ（Application Program Interface）を用いて、各種の画像が表示される。
【００２３】
第１領域Ａ１に表示される画像を説明する。第１領域Ａ１には、最上層画像と下位層画像を含んだ階層構造を有する、階層画像が表示される。最上層画像は、複数存在する。最上層画像には、第２ボタン画像が表示される場合がある。第２ボタン画像は、後述する第１ボタン画像に対応する下位層画像が対応する機能とは異なる機能に対応する下位層画像を、第１領域Ａ１に表示させるボタンである。
【００２４】
下位層画像は、最上層画像の下位層に該当する画像である。下位層画像の例としては、多機能機１０の各種機能（ファックス、コピー、スキャン等）を利用するためのパラメータの設定を行うための情報を表示する画像が挙げられる。また、多機能機１０の各種機能を利用するためのパラメータに従って各種機能を実行するための情報を表示する画像が挙げられる。
【００２５】
最上層画像の例を説明する。例として、機能表示画像Ｐ１、ショートカット画像Ｐ２、ホーム画像Ｐ３、の３つの最上層画像が存在する場合を説明する。また例として、機能表示画像Ｐ１からホーム画像Ｐ３までの３つの最上層画像が連続した一列に配置されており、機能表示画像Ｐ１が列番号の１番目、ショートカット画像Ｐ２が列番号の２番目、ホーム画像Ｐ３が列番号の３番目、に相当する場合を説明する。
【００２６】
図７に、最上層画像の１つ目の例である、機能表示画像Ｐ１を示す。機能表示画像Ｐ１では、第２ボタン画像として、「デジカメプリント」ボタンＢ２１、「クラウド」ボタンＢ２２、「Ａ３コピー」ボタンＢ２３、が表示される。また、左矢印ボタンＢ４３および右矢印ボタンＢ４４、最上層画像表示状態画像Ｂ７１が表示される。「デジカメプリント」ボタンＢ２１は、デジタルカメラで撮影された画像を印刷するための下位層画像を、第１領域Ａ１に表示させるためのボタンである。「クラウド」ボタンＢ２２は、インターネット上に保存されているデータを用いて多機能機１０を動作させるための下位層画像を、第１領域Ａ１に表示させるためのボタンである。「Ａ３コピー」ボタンＢ２３は、Ａ３サイズの用紙を用いてコピー動作を行うための下位層画像（例：コピー実行画像Ｐ４（図１０）を、第１領域Ａ１に表示させるためのボタンである。左矢印ボタンＢ４３および右矢印ボタンＢ４４は、最上層画像を切り替えるためのボタンである。最上層画像表示状態画像Ｂ７１は、横一列に並んでいる３つの丸印のうち、一番左に位置している丸印が強調表示（色が濃く表示）されている。これは、列番号の１番目の最上層画像（機能表示画像Ｐ１）が、第１領域Ａ１に現在表示されていることを示している。
【００２７】
図８に、最上層画像の２つ目の例である、ショートカット画像Ｐ２を示す。ショートカット画像Ｐ２は、複数のショートカットボタン画像を表示するための画像である。ショートカットボタンは、第１ボタン画像や第２ボタン画像に対応する表示に従って実行される機能に対応する、下位層画像を表示するためのボタンである。図８のショートカット画像Ｐ２では、ショートカットボタンＢ３１〜Ｂ３４、ショートカット登録ボタンＢ３５、左矢印ボタンＢ４５および右矢印ボタンＢ４６、最上層画像表示状態画像Ｂ７２が表示される。ショートカットボタンＢ３１は、ＳＮＳ（Social Networking Service）を利用するためのボタンである。ショートカットボタンＢ３２は、インターネット上に保存してある画像データにアクセスするためのボタンである。ショートカットボタンＢ３３は、複数の画像を１枚の印刷用紙に印刷するためのボタンである。ショートカットボタンＢ３４は、両面コピーを実行するためのボタンである。ショートカット登録ボタンＢ３５は、ショートカットボタンの追加に関するボタンである。ユーザは、ショートカット登録ボタンＢ３５のボタン画像にタッチすることによって、新たなショートカットボタンをショートカット画像Ｐ２内に表示させることができる。左矢印ボタンＢ４５および右矢印ボタンＢ４６は、最上層画像を切り替えるためのボタンである。最上層画像表示状態画像Ｂ７２は、横一列に並んでいる３つの丸印のうち、中央に位置している丸印が強調表示（色が濃く表示）されている。これは、列番号の２番目の最上層画像（ショートカット画像Ｐ２）が、第１領域Ａ１に現在表示されていることを示している。
【００２８】
図９に、最上層画像の３つ目の例である、ホーム画像Ｐ３を示す。ホーム画像Ｐ３は、各種のコンテンツ情報を表示手段に表示するための画像である。コンテンツ情報の例としては、時計、スライドショーなどが挙げられる。図９のホーム画像Ｐ３では、時計Ｃ１１、左矢印ボタンＢ４７および右矢印ボタンＢ４８、最上層画像表示状態画像Ｂ７３が表示される。最上層画像表示状態画像Ｂ７３は、横一列に並んでいる３つの丸印のうち、一番右に位置している丸印が強調表示（色が濃く表示）されている。これは、列番号の３番目の最上層画像（ホーム画像Ｐ３）が、第１領域Ａ１に現在表示されていることを示している。
【００２９】
図１０を用いて、下位層画像の例を説明する。図１０に、下位層画像の一例である、コピー実行画像Ｐ４を示す。コピー実行画像Ｐ４は、多機能機１０のコピー機能に関するパラメータ設定を行うための画像である。コピー実行画像Ｐ４は、最上層画像（機能表示画像Ｐ１〜ホーム画像Ｐ３）の１つ下層に属する表示画像である。コピー実行画像Ｐ４の設定項目Ｒ１〜Ｒ４の各々には、解像度２１１、用紙サイズ２１２、カラー設定２１３、コピー部数２１４の各々の設定項目が表示される。また、「スタート」ボタンＢ５１、「キャンセル」ボタンＢ５２、「ショートカット登録」ボタンＢ５３が表示される。なお、多機能機１０のその他の機能（ファックス機能、スキャン機能等）の各々についても、コピー実行画像Ｐ４と同様の下位層画像が備えられている。これらの下位層画像は、コピー実行画像Ｐ４と同様であるため、詳細な説明は省略する。
【００３０】
第２領域Ａ２に表示される画像を説明する。第２領域Ａ２には、複数の第１ボタン画像が表示される。第１ボタン画像は、多機能機１０の機能のうち、主な機能（ファックス機能、コピー機能、スキャン機能、印刷機能など）に対応する下位層画像を表示させるボタン画像である。第２領域Ａ２は、第１領域Ａ１内にいずれの画像が表示されている場合においても、パネル５０内の同一位置に表示される。
【００３１】
図７に、第２領域Ａ２に表示される第１ボタン画像の例を示す。図７の例では、第１ボタン画像として、「ファックス」ボタンＢ１１、「コピー」ボタンＢ１２、「スキャン」ボタンＢ１３、が表示される。また、上矢印ボタンＢ４１および下矢印ボタンＢ４２が表示される。「ファックス」ボタンＢ１１は、ファックス機能に対応する画像（下位層画像、ボタン画像など）を、第１領域Ａ１に表示させるためのボタンである。「コピー」ボタンＢ１２は、コピー機能に対応する画像（下位層画像（例：コピー実行画像Ｐ４（図１０））、ボタン画像など）を、第１領域Ａ１に表示させるためのボタンである。「スキャン」ボタンＢ１３は、スキャン機能に対応する画像（下位層画像、ボタン画像など）を、第１領域Ａ１に表示させるためのボタンである。上矢印ボタンＢ４１および下矢印ボタンＢ４２は、第２領域Ａ２に表示される第１ボタン画像を切り替えるためのボタンである。
【００３２】
第３領域Ａ３に表示される画像を説明する。第３領域Ａ３には、状態表示画像が少なくとも１つ表示される。状態表示画像は、多機能機１０の状態に関する画像である。第３領域Ａ３は、第２ボタン画像およびショートカットボタン画像が表示されている領域の領域外に定められる。第３領域Ａ３は、第１領域Ａ１内にいずれの画像が表示されている場合においても、パネル５０内の同一位置に表示される。
【００３３】
図７の例では、状態表示画像として、インク残量画像Ｂ６１、設定ボタンＢ６２、無線ＬＡＮ電波状態画像Ｂ６３、が第３領域Ａ３に表示される。インク残量画像Ｂ６１は、印刷に使用するインク残量を表示する画像である。設定ボタンＢ６２は、多機能機１０の各種の設定を行うための設定画面を第１領域Ａ１に表示させるためのボタンである。無線ＬＡＮ電波状態画像Ｂ６３は、無線ＬＡＮ通信部６１を用いて無線ＬＡＮ通信を行う場合における、電波強度を表示する画像である。
【００３４】
＜多機能機１０の動作＞
多機能機１０の動作について、図２から図６のフローチャートを用いて説明する。図２から図６のフローは、多機能機１０の電源がオンされることにより開始され、電源がオフされるまで実行され続ける。
【００３５】
図２のフローを説明する。Ｓ１０６においてＣＰＵ１４は、第２領域Ａ２に、予め定められたデフォルトの第１ボタン画像を表示する。デフォルトの第１ボタン画像は、ユーザによって定められてもよいし、多機能機１０の製造者によって定められていてもよい。図７の例では、デフォルトの第１ボタン画像として、「ファックス」ボタンＢ１１、「コピー」ボタンＢ１２、「スキャン」ボタンＢ１３、が表示される。
【００３６】
Ｓ１０８においてＣＰＵ１４は、第３領域Ａ３に、状態表示画像を表示する。図７の例では、第３領域Ａ３に、状態表示画像であるインク残量画像Ｂ６１、設定ボタンＢ６２、無線ＬＡＮ電波状態画像Ｂ６３が表示される。
【００３７】
Ｓ１１０において、ＣＰＵ１４は、「ホームボタン設定」の設定値をＮＶＲＡＭ４０から読み込み、表示待機画面種別としてＲＡＭ３０に記憶させる。Ｓ１１２においてＣＰＵ１４は、記憶された表示待機画面種別に基づき、壁紙画像設定の設定値をＮＶＲＡＭ４０から読み込む。Ｓ１１４においてＣＰＵ１４は、壁紙画像設定の設定値に基づいて、機能表示画像Ｐ１からホーム画像Ｐ３のうちの何れかの画像を、待機画面として第１領域Ａ１に表示する。図７の例では、待機画面として、機能表示画像Ｐ１が表示されている。
【００３８】
＜第１ボタン画像の縦スワイプ処理＞
Ｓ１１６においてＣＰＵ１４は、第１ボタン画像の縦スワイプ処理を実行する。図６を用いて、第１ボタン画像の縦スワイプ処理の内容を説明する。例として、第１ボタン画像として、「ファックス」ボタンＢ１１、「コピー」ボタンＢ１２、「スキャン」ボタンＢ１３、「印刷」ボタンＢ１４（不図示）、の４つのボタンが存在している場合を説明する。また、「ファックス」ボタンＢ１１から「印刷」ボタンＢ１４までが連続した一列に配置されており、「ファックス」ボタンＢ１１が列番号の１番目、「コピー」ボタンＢ１２が列番号の２番目、「スキャン」ボタンＢ１３が列番号の３番目、「印刷」ボタンＢ１４が列番号の４番目、に相当する場合を説明する。また、「ファックス」ボタンＢ１１が列の先頭の第１ボタン画像であり、「印刷」ボタンＢ１４が列の末尾の第１ボタン画像である場合を説明する。また、第２領域Ａ２の上段、中段、下段の各々に、「ファックス」ボタンＢ１１から「印刷」ボタンＢ１４までの４つの第１ボタン画像のうちから、３つの第１ボタン画像が表示される場合を説明する。図７の表示例では、第２領域Ａ２の上段に「ファックス」ボタンＢ１１が表示され、中段に「コピー」ボタンＢ１２が表示され、下段に「スキャン」ボタンＢ１３が表示されている。
【００３９】
Ｓ２１２において、ＣＰＵ１４は、第２領域Ａ２がパネル５０の表示領域内の上方向（図７の表示例における上方向）へスワイプされたか、または、下矢印ボタンＢ４２がタッチされたか、を判断する。上方向スワイプが行われたか否かの判断方法の例を説明する。ＣＰＵ１４は、座標検出部５１によって、指示座標が第２領域Ａ２内で検出されるとともに、検出された指示座標の移動（ドラッグ）が検出されたか否かを判断する。指示座標の移動が検出された場合には、指示座標の移動方向がパネル５０の上方向（図７の表示例における上方向）に対応するか否かを判断し、対応する場合には、上方向スワイプが行われたと判断する。
【００４０】
上方向スワイプが行われた場合、または、下矢印ボタンＢ４２がタッチされた場合（Ｓ２１２：ＹＥＳ）には、Ｓ２１４へ進む。Ｓ２１４において、ＣＰＵ１４は、現在第２領域Ａ２の下段に表示されている第１ボタン画像が、末尾の第１ボタン画像（「印刷」ボタンＢ１４）であるか否かを判断する。末尾の第１ボタン画像である場合（Ｓ２１４：ＹＥＳ）にはＳ２１６へ進み、ＣＰＵ１４は、先頭の第１ボタン画像（「ファックス」ボタンＢ１１）が下段に表示されるように、第１ボタン画像の列を一段分ずらして第２領域Ａ２に表示する。そしてＳ１１７（図３）へ進む。一方、末尾の第１ボタン画像ではない場合（Ｓ２１４：ＮＯ）にはＳ２１８へ進み、ＣＰＵ１４は、現在第２領域Ａ２の下段に表示されている第１ボタン画像の次の列番号を有する第１ボタン画像が下段に表示されるように、第１ボタン画像の列を一段分ずらして第２領域Ａ２に表示する。そしてＳ１１７へ進む。
【００４１】
またＳ２１２において、上方向スワイプまたは下矢印ボタンＢ４２のタッチが行われていない場合（Ｓ２１２：ＮＯ）には、Ｓ２２２へ進む。Ｓ２２２において、ＣＰＵ１４は、第２領域Ａ２がパネル５０の表示領域内の下方向（図７の表示例における下方向）へスワイプされたか、または、上矢印ボタンＢ４１がタッチされたかを判断する。下方向スワイプが行われたか否かの判断方法は、前述した上方向スワイプが行われたか否かの判断方法と同様であるため、説明を省略する。下方向スワイプが行われた場合、または、上矢印ボタンＢ４１がタッチされた場合（Ｓ２２２：ＹＥＳ）には、Ｓ２２４へ進む。Ｓ２２４において、ＣＰＵ１４は、現在第２領域Ａ２の上段に表示されている第１ボタン画像が、先頭の第１ボタン画像（「ファックス」ボタンＢ１１）であるか否かを判断する。先頭の第１ボタン画像である場合（Ｓ２２４：ＹＥＳ）にはＳ２２６へ進み、ＣＰＵ１４は、末尾の第１ボタン画像（「印刷」ボタンＢ１４）が上段に表示されるように、第１ボタン画像の列を一段分ずらして第２領域Ａ２に表示する。そしてＳ１１７へ進む。一方、先頭の第１ボタン画像ではない場合（Ｓ２２４：ＮＯ）にはＳ２２８へ進み、ＣＰＵ１４は、現在第２領域Ａ２の上段に表示されている第１ボタン画像の１つ前の列番号を有する第１ボタン画像が上段に表示されるように、第１ボタン画像の列を一段分ずらして第２領域Ａ２に表示する。そしてＳ１１７へ進む。
【００４２】
＜多機能機１０の動作（その２）＞
Ｓ１１７（図３）において、ＣＰＵ１４は、第２領域Ａ２に表示されている第１ボタン画像の何れかがタッチされたか否かを判断する。図７の表示例を用いて、具体的な判断方法の例を説明する。第１ボタン画像の各々（「ファックス」ボタンＢ１１〜「スキャン」ボタンＢ１３）の表示領域を示す座標が、ＲＯＭ１６に予め記憶されている。ＣＰＵ１４は、座標検出部５１上のタッチ点の指示座標を、基本機能プログラム１８から取得する。取得された指示座標が、「ファックス」ボタンＢ１１〜「スキャン」ボタンＢ１３の何れかの表示領域を示す座標内に位置する場合には、指示座標が位置している第１ボタン画像に指示座標が入力されていると判断することができる。第１ボタン画像の何れにも指示座標が入力されていない場合（Ｓ１１７：ＮＯ）にはＳ１１９へ進み、第１ボタン画像の何れかに指示座標が入力された場合（Ｓ１１７：ＹＥＳ）にはＳ１１８へ進む。
【００４３】
Ｓ１１８においてＣＰＵ１４は、第１領域Ａ１に表示されているボタン画像のうち、Ｓ１１７でタッチされた第１ボタン画像に関連するボタン画像を強調表示する。強調表示の態様としては、ボタン画像を大きくする態様や、ボタン画像を濃く表示する態様や、ボタン画像を点滅表示させる態様などが挙げられる。例えば、図７の表示例において、「コピー」ボタンＢ１２がタッチされた場合には、「コピー」ボタンＢ１２に関連する「Ａ３コピー」ボタンＢ２３が強調表示される。
【００４４】
Ｓ１１９において、ＣＰＵ１４は、第１ボタン画像の何れかに、ユーザによってダブルタッチ（所定時間内に同一のボタンを２回タッチする操作）が行われたか否かを判断する。ダブルタッチが行われた場合（Ｓ１１９：ＹＥＳ）にはＳ１２０へ進む。Ｓ１２０においてＣＰＵ１４は、最上層画像に代えて、Ｓ１１９でダブルタッチされた第１ボタン画像に対応する下位層画像を、第１領域Ａ１に表示する。またＣＰＵ１４は、パラメータの設定入力を受け付ける。
【００４５】
例えば、図７の表示例において、「コピー」ボタンＢ１２がダブルタッチされた場合（Ｓ１１９：ＹＥＳ）には、機能表示画像Ｐ１に代えて、「コピー」ボタンＢ１２に対応するコピー実行画像Ｐ４（図１０）が第１領域Ａ１に表示される（Ｓ１２０）。また、図１０のコピー実行画像Ｐ４において、設定項目Ｒ１〜Ｒ４の何れかをタッチすることによって、タッチされた設定項目の設定候補が複数表示される。そして複数の設定候補の何れかがタッチされると、タッチされた設定候補が、変更後の設定として記憶される。
【００４６】
Ｓ１２１において、ＣＰＵ１４は、下位層画像内のスタートボタンがタッチされたか否かを判断する。スタートボタンがタッチされた場合（Ｓ１２１：ＹＥＳ）にはＳ１２２へ進み、ＣＰＵ１４は、Ｓ１１９でタッチされた第１ボタン画像に対応付けられている動作を実行する。例えば図１０の表示例において、「スタート」ボタンＢ５１がタッチされた場合には、Ｓ１１９でタッチされた第１ボタン画像（「コピー」ボタンＢ１２）に対応付けられている動作（コピー動作）が実行される。具体的には、ＣＰＵ１４は、原稿をスキャン部５６で読み取り、読み取ったデータを印刷部５４を用いて印刷する動作（コピー動作）を実行する。
【００４７】
一方、Ｓ１２１においてスタートボタンがタッチされていない場合（Ｓ１２１：ＮＯ）にはＳ１２４へ進み、ＣＰＵ１４は、ホームボタンＢ１０１がタッチされたか否かを判断する。ホームボタンＢ１０１がタッチされた場合（Ｓ１２４：ＹＥＳ）にはＳ１１０へ戻り、タッチされていない場合（Ｓ１２４：ＮＯ）にはＳ１２６へ進む。
【００４８】
Ｓ１２６において、ＣＰＵ１４は、「ショートカット登録」ボタンがタッチされたか否かを判断する。タッチされていない場合（Ｓ１２６：ＮＯ）にはＳ１２０へ戻り、タッチされた場合（Ｓ１２６：ＹＥＳ）にはＳ１２８へ進む。Ｓ１２８においてＣＰＵ１４は、Ｓ１２０で表示されている下位層画像のパラメータに基づいて、ショートカットボタンを登録する。例えば図１０の表示例において、「ショートカット登録」ボタンＢ５３がタッチされた場合（Ｓ１２６：ＹＥＳ）には、コピー実行画像Ｐ４のパラメータ（設定項目Ｒ１〜Ｒ４）に基づいてショートカットボタンが登録される（Ｓ１２８）。
【００４９】
Ｓ１３０においてＣＰＵ１４は、ショートカット画像Ｐ２を、「表示待機画面種別」としてＲＡＭ３０に記憶させる。そしてＳ１１２へ戻る。これにより、Ｓ１２８の処理によって新たなショートカットボタンが追加されたショートカット画像Ｐ２が、第１領域Ａ１に表示される（Ｓ１１４）。
【００５０】
一方、Ｓ１１９において第１ボタン画像がダブルタッチされていない場合（Ｓ１１９：ＮＯ）には、Ｓ１４０（図４）へ進む。Ｓ１４０において、ＣＰＵ１４は、第１領域Ａ１に表示されている最上層画像内の第２ボタン画像の何れかが、タッチされたか否かを判断する。例えば図７の表示例では、機能表示画像Ｐ１内の第２ボタン画像（「デジカメプリント」ボタンＢ２１〜「Ａ３コピー」ボタンＢ２３）の何れかが、タッチされたか否かが判断される。何れかの第２ボタン画像がタッチされた場合（Ｓ１４０：ＹＥＳ）にはＳ１４２へ進む。
【００５１】
Ｓ１４２においてＣＰＵ１４は、最上層画像に代えて、Ｓ１４０でタッチされた第２ボタン画像に対応する下位層画像を、第１領域Ａ１に表示する。またＣＰＵ１４は、パラメータの設定入力を受け付ける。例えば、図７の表示例において、「Ａ３コピー」ボタンＢ２３がタッチされた場合（Ｓ１４０：ＹＥＳ）には、機能表示画像Ｐ１に代えて、「Ａ３コピー」ボタンＢ２３に対応するコピー実行画像Ｐ４（図１０）が第１領域Ａ１に表示される（Ｓ１４２）。
【００５２】
Ｓ１４６において、ＣＰＵ１４は、下位層画像内のスタートボタンがタッチされたか否かを判断する。スタートボタンがタッチされた場合（Ｓ１４６：ＹＥＳ）にはＳ１４８へ進み、ＣＰＵ１４は、Ｓ１４０でタッチされた第２ボタン画像に対応付けられている動作を実行する。そしてＳ１１０（図２）へ戻る。例えば図１０の表示例において、「スタート」ボタンＢ５１がタッチされた場合には、Ｓ１４０でタッチされた第２ボタン画像（「Ａ３コピー」ボタンＢ２３）に対応付けられている動作（Ａ３コピー動作）が実行される。
【００５３】
一方、Ｓ１４６においてスタートボタンがタッチされていない場合（Ｓ１４６：ＮＯ）にはＳ１５０へ進み、ＣＰＵ１４は、ホームボタンＢ１０１がタッチされたか否かを判断する。ホームボタンＢ１０１がタッチされた場合（Ｓ１５０：ＹＥＳ）にはＳ１１０（図２）へ戻り、タッチされていない場合（Ｓ１５０：ＮＯ）にはＳ１５２へ進む。Ｓ１５２において、ＣＰＵ１４は、「ショートカット登録」ボタンがタッチされたか否かを判断する。タッチされていない場合（Ｓ１５２：ＮＯ）にはＳ１４２へ戻り、タッチされた場合（Ｓ１５２：ＹＥＳ）にはＳ１２８へ戻る。
【００５４】
＜最上層画像の横スワイプ処理＞
Ｓ１４０において、何れの第２ボタン画像もタッチされていない場合（Ｓ１４０：ＮＯ）には、Ｓ１５８へ進み、最上層画像の横スワイプ処理が実行される。図５のフローおよびを用いて、Ｓ１５８において実行される、最上層画像の横スワイプ処理を説明する。例として、機能表示画像Ｐ１が列番号の１番目の最上層画像、ショートカット画像Ｐ２が列番号の２番目の最上層画像、ホーム画像Ｐ３が列番号の３番目の最上層画像、に相当する場合を説明する。また、機能表示画像Ｐ１が列の先頭の最上層画像であり、ホーム画像Ｐ３が列の末尾の最上層画像である場合を説明する。図７の表示例では、第１領域Ａ１には、機能表示画像Ｐ１が表示されている。
【００５５】
Ｓ１６０においてＣＰＵ１４は、第１領域Ａ１がパネル５０の表示領域内の左方向（図７の表示例における左方向）へスワイプされたか、または、右矢印ボタンがタッチされたかを判断する。左方向スワイプが行われたか否かの判断方法は、前述した下方向スワイプが行われたか否かの判断方法と同様であるため、説明を省略する。なお、第２領域Ａ２内で指示座標が検出されるとともに、検出された指示座標の移動が検出された場合には、第１領域Ａ１はスワイプされていない（Ｓ１６０：ＮＯ、Ｓ１７０：ＮＯ）と判断される。
【００５６】
左方向スワイプが行われた場合、または、右矢印ボタンがタッチされた場合（Ｓ１６０：ＹＥＳ）には、Ｓ１６２へ進む。Ｓ１６２において、ＣＰＵ１４は、現在第１領域Ａ１に表示されている最上層画像が、末尾の最上層画像（ホーム画像Ｐ３）であるか否かを判断する。末尾の最上層画像である場合（Ｓ１６２：ＹＥＳ）にはＳ１６４へ進み、ＣＰＵ１４は、先頭の最上層画像（機能表示画像Ｐ１）を「表示待機画面種別」としてＲＡＭ３０に記憶させる。そしてＳ１１２（図２）へ戻る。これにより、先頭の最上層画像（機能表示画像Ｐ１）が第１領域Ａ１に表示される（Ｓ１１４）。
【００５７】
一方、現在第１領域Ａ１に表示されている最上層画像が末尾の最上層画像ではない場合（Ｓ１６２：ＮＯ）には、Ｓ１６６へ進む。Ｓ１６６においてＣＰＵ１４は、現在第１領域Ａ１に表示されている最上層画像の次の列番号を有する最上層画像を、「表示待機画面種別」としてＲＡＭ３０に記憶させる。そしてＳ１１２（図２）へ戻る。これにより、図７の表示例の場合には、現在第１領域Ａ１に表示されている最上層画像（機能表示画像Ｐ１）の次の列番号を有する最上層画像（ショートカット画像Ｐ２）が、第１領域Ａ１に表示される（Ｓ１１４）。
【００５８】
またＳ１６０において、左方向スワイプまたは右矢印ボタンのタッチが行われていない場合（Ｓ１６０：ＮＯ）には、Ｓ１７０へ進む。Ｓ１７０において、ＣＰＵ１４は、第１領域Ａ１がパネル５０の表示領域内の右方向（図７の表示例における右方向）へスワイプされたか、または、左矢印ボタンがタッチされたかを判断する。左方向スワイプが行われた場合、または、右矢印ボタンがタッチされた場合（Ｓ１７０：ＹＥＳ）には、Ｓ１７２へ進む。Ｓ１７２において、ＣＰＵ１４は、現在第１領域Ａ１の左側部に表示されている最上層画像が、先頭の最上層画像（機能表示画像Ｐ１）であるか否かを判断する。先頭の最上層画像である場合（Ｓ１７２：ＹＥＳ）にはＳ１７４へ進み、ＣＰＵ１４は、末尾の最上層画像を「表示待機画面種別」としてＲＡＭ３０に記憶させる。そしてＳ１１２（図２）へ戻る。これにより、末尾の最上層画像（ホーム画像Ｐ３）が第１領域Ａ１に表示される（Ｓ１１４）。
【００５９】
一方、現在第１領域Ａ１の左側部に表示されている最上層画像が先頭の最上層画像ではない場合（Ｓ１７２：ＮＯ）には、Ｓ１７６へ進む。Ｓ１７６においてＣＰＵ１４は、現在第１領域Ａ１に表示されている最上層画像の１つ前の列番号を有する最上層画像を、「表示待機画面種別」としてＲＡＭ３０に記憶させる。そしてＳ１１２（図２）へ戻る。これにより、図８の表示例の場合には、現在第１領域Ａ１に表示されている最上層画像（ショートカット画像Ｐ２）の１つ前の列番号を有する最上層画像（機能表示画像Ｐ１）が、第１領域Ａ１に表示される（Ｓ１１４）。
【００６０】
＜効果＞
本実施例に係る多機能機１０の効果を説明する。本願に記載の多機能機１０では、複数の最上層画像（機能表示画像Ｐ１〜ホーム画像Ｐ３）の何れか１つを、切り替え可能に第１領域Ａ１内に表示することができる。よって、階層構造を有する階層画像において、最上層画像の数を増加させることができるため、階層構造が必要以上に深くなってしまう事態を防止できる。これにより、ユーザが選択を所望する機能を画面表示させるために必要な操作数を減少させることが可能であるため、ユーザの利便性を向上させることができる。
【００６１】
本願に記載の多機能機１０では、第１領域Ａ１内にいずれの画像が表示されている場合においても、第１ボタン画像（「ファックス」ボタンＢ１１〜「スキャン」ボタンＢ１３）を第２領域Ａ２内に表示することや、状態表示画像（インク残量画像Ｂ６１、設定ボタンＢ６２、無線ＬＡＮ電波状態画像Ｂ６３）を第３領域Ａ３内に表示することができる。これにより、第１ボタン画像や状態表示画像をパネル５０に常駐させることができるため、ユーザの利便性を高めることが可能となる。
【００６２】
本願に記載の多機能機１０では、第１領域Ａ１内にいずれの画像が表示されている場合においても、第２領域Ａ２内の第１ボタン画像（「ファックス」ボタンＢ１１〜「スキャン」ボタンＢ１３）の表示位置や、第３領域Ａ３内の状態表示画像（インク残量画像Ｂ６１、設定ボタンＢ６２、無線ＬＡＮ電波状態画像Ｂ６３）の表示位置を同一位置にすることができる。これにより、第１ボタン画像や状態表示画像の表示位置をユーザに認識させやすくすることができる。
【００６３】
本願に記載の多機能機１０では、ユーザが第１領域Ａ１内の何れかの位置をタッチし、パネル５０の左右方向（図７の表示例における左右方向）に払うように押下点を移動させること（左右スワイプ）によって、最上層画像を切り替えることができる。また、ユーザが第２領域Ａ２内の何れかの位置をタッチし、パネル５０の上下方向に払うように押下点を移動させること（上下スワイプ）によって、第２領域Ａ２に表示される第１ボタン画像（「ファックス」ボタンＢ１１〜「印刷」ボタンＢ１４）を切り替えることができる。これにより、直感的な操作により最上層画像の切り替えを行うことができるため、ユーザの利便性が高めることができる。また、最上層画像を切り替えるためのスワイプ方向（パネル５０の左右方向）と、第１ボタン画像を切り替えるためのスワイプ方向（パネル５０の上下方向）とが直交しているため、最上層画像の切り替え操作と第１ボタン画像の切り替え操作との間で、誤動作が発生してしまう事態を防止することができる。
【００６４】
本願に記載の多機能機１０では、状態表示画像（インク残量画像Ｂ６１、設定ボタンＢ６２、無線ＬＡＮ電波状態画像Ｂ６３）を、第３領域Ａ３内に、パネル５０の左右方向に沿うように並べて表示する。よって、ユーザが最上層画像を切り替える際に押下点をパネル５０の左右方向に移動させた場合に、押下点の移動軌跡が、状態表示画像と交差してしまう事態を防止することができる。これにより、最上層画像の切り替えを行う際に、押下点が状態表示画像の表示領域まで移動してしまい、多機能機１０が誤動作してしまう事態を防止できる。また、最上層画像の切り替え操作が多数回行われた場合には、押下点を移動させる軌道に沿って座標検出部５１の検出部が劣化する場合がある。しかし本願に記載の多機能機１０によれば、押下点の移動軌跡が状態表示画像と交差してしまう事態を防止できるため、状態表示画像を表示する領域（第３領域Ａ３）において、をタッチする場合において、座標検出部５１の検出部が劣化してしまう事態を防止することができる。
【００６５】
本願に記載の多機能機１０では、ユーザが第２領域Ａ２内の何れかの位置をタッチし、押下点を移動させた場合には、第１領域Ａ１はスワイプされていない（Ｓ１６０：ＮＯ、Ｓ１７０：ＮＯ）と判断することができる。これにより、最上層画像の切り替えの誤動作を防止することができる。
【００６６】
本願に記載の多機能機１０では、状態表示画像（インク残量画像Ｂ６１、設定ボタンＢ６２、無線ＬＡＮ電波状態画像Ｂ６３）を表示する第３領域Ａ３が、第２ボタン画像（「デジカメプリント」ボタンＢ２１〜「Ａ３コピー」ボタンＢ２３）およびショートカットボタン画像（ショートカットボタンＢ３１〜Ｂ３４）が表示されている領域の領域外に位置している。これにより、ユーザが第２ボタン画像やショートカットボタン画像をタッチして選択する際に、誤って状態表示画像を選択してしまう事態を防止できる。また、第２ボタン画像や第３ボタン画像の選択操作が多数回行われた場合には、第２ボタン画像や第３ボタン画像が表示されている領域の座標検出部５１の検出部が劣化する場合がある。しかし本願に記載の多機能機１０によれば、状態表示画像を表示する第３領域Ａ３についての、座標検出部５１の検出部の劣化を防止することができる。
【００６７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００６８】
＜変形例＞
最上層画像の画像数は３つに限られず、２つ以下または４つ以上でもよい。例えば、ショートカット画像Ｐ２が複数存在しており、機能表示画像Ｐ１が列番号の１番目、第１ショートカット画像Ｐ２ａが列番号の２番目、第２ショートカット画像Ｐ２ｂが列番号の３番目、第３ショートカット画像Ｐ２ｃが列番号の４番目、ホーム画像Ｐ３が列番号の５番目になるように、５つの最上層画像が連続した一列に配置されていてもよい。この場合においても、第１領域Ａ１のスワイプ処理や、右矢印ボタンまたは左矢印ボタンのタッチによって、第１領域Ａ１に表示される最上層画像を切り替えることができる。
【００６９】
Ｓ１１８において、ボタン画像を強調表示する方法は、様々な方法であってよい。例えば、Ｓ１１７でタッチされた第１ボタン画像に関連するボタン画像を、複数の第２ボタン画像および複数のショートカットボタン画像の中から抽出するとしてもよい。そして、抽出した全てのボタン画像を一覧表示する画像を作成し、作成した画像を第１領域Ａ１に表示するとしてもよい。
【００７０】
Ｓ１１７において、第１ボタン画像の何れにも指示座標が入力されていない場合（Ｓ１１７：ＮＯ）には、Ｓ１４０（図４）へ進むとしてもよい。また、Ｓ１１９においてＣＰＵ１４は、Ｓ１１７で一度タッチされた第１ボタン画像がユーザによって再タッチされたか否かを判断し、再タッチされた場合（Ｓ１１９：ＹＥＳ）にＳ１２０へ進むとしてもよい。また、Ｓ１２０においてＣＰＵ１４は、Ｓ１１９で再タッチされた第１ボタン画像に対応する下位層画像を、第１領域Ａ１に表示するとしてもよい。
【００７１】
第１ボタン画像（「ファックス」ボタンＢ１１〜「スキャン」ボタンＢ１３）、第２ボタン画像（「デジカメプリント」ボタンＢ２１〜「Ａ３コピー」ボタンＢ２３）、ショートカットボタンＢ３１〜Ｂ３４を並べて表示する方向は、本実施形態の例に限られない。例えば、第２領域Ａ２が、パネル５０の左右方向に長辺を有する矩形形状として形成されてもよい。そして第１ボタン画像（「ファックス」ボタンＢ１１〜「スキャン」ボタンＢ１３）が、第２領域Ａ２内に、パネル５０の左右方向に沿うように並べて表示されてもよい。これにより、第１領域Ａ１をパネル５０の左右方向にスワイプする際に、押下点の移動軌跡が、第２ボタン画像と交差してしまう事態を防止することができる。よって、多機能機１０が誤動作してしまう事態を防止することが可能となる。
【００７２】
第３領域Ａ３に表示される状態表示画像は、インク残量画像Ｂ６１、設定ボタンＢ６２、無線ＬＡＮ電波状態画像Ｂ６３に限られない。多機能機１０の状態に関する画像であれば、何れの画像を表示してもよい。また、第２ボタン画像（「デジカメプリント」ボタンＢ２１〜「Ａ３コピー」ボタンＢ２３）に対応する下位層画像は、コピー実行画像Ｐ４（図１０）に限られず、様々な種類の下位層画像であってよい。
【００７３】
機能表示画像Ｐ１に表示される第２ボタン画像の数や、第２領域Ａ２に表示される第１ボタン画像（「ファックス」ボタンＢ１１〜「スキャン」ボタンＢ１３）の数は、３つに限られない。２つ以下または４つ以上であっても、本願の技術の効果を得ることが可能である。
【００７４】
第１領域Ａ１内にいずれの画像が表示されている場合においても、第１ボタン画像（「ファックス」ボタンＢ１１〜「スキャン」ボタンＢ１３）を第２領域Ａ２内に表示することや、状態表示画像（インク残量画像Ｂ６１、設定ボタンＢ６２、無線ＬＡＮ電波状態画像Ｂ６３）を第３領域Ａ３内に表示する形態は、各種の形態であってよい。例えば、第１領域Ａ１に表示される画像が切り替えられる前後において、第１ボタン画像や状態表示画像を表示し続ける形態であってもよい。また、第１領域Ａ１に表示される画像が切り替えられる場合に、第１ボタン画像や状態表示画像の表示を一旦消去し、その後に第１ボタン画像や状態表示画像の表示を復帰させる形態であってもよい。
【００７５】
本願の技術の特徴は、パネル５０の表示形態に関する点にある。よって、本願の技術の適用範囲は多機能機１０に限定されず、表示画面を有する各種の装置（携帯電話、ノートＰＣなど）に適用可能である。
【００７６】
なお、ＲＯＭ１６やＮＶＲＡＭ４０に記憶されている各種の情報は、外部記憶装置に記憶されるとしてもよい。そして外部記憶装置から各種の情報が読み出され、ＲＡＭ３０に一旦記憶された上で、各種の処理が行なわれるとしてもよい。外部記憶装置の例としては、メモリーカードや外付のハードディスクなどが挙げられる。
【００７７】
なお、パネル５０は表示手段の一例である。座標検出部５１は座標検出手段の一例である。多機能機１０は画像形成装置の一例である。Ｓ１１４を実行するＣＰＵ１４は第１の表示制御手段の一例である。「ファックス」ボタンＢ１１、「コピー」ボタンＢ１２、「スキャン」ボタンＢ１３、「印刷」ボタンＢ１４は第１ボタン画像の一例である。Ｓ１０６を実行するＣＰＵ１４は第２の表示制御手段の一例である。Ｓ１４２を実行するＣＰＵ１４は第３の表示制御手段の一例である。「デジカメプリント」ボタンＢ２１、「クラウド」ボタンＢ２２、「Ａ３コピー」ボタンＢ２３は第２ボタン画像の一例である。機能表示画像Ｐ１は第１最上層画像の一例である。ショートカットボタンＢ３１〜Ｂ３４は第３ボタン画像の一例である。ショートカット画像Ｐ２は第２最上層画像の一例である。時計Ｃ１１はコンテンツ情報の一例である。ホーム画像Ｐ３は第３最上層画像の一例である。インク残量画像Ｂ６１、設定ボタンＢ６２、無線ＬＡＮ電波状態画像Ｂ６３は状態表示画像の一例である。Ｓ１０８を実行するＣＰＵ１４は第４の表示制御手段の一例である。パネル５０の横方向は第１所定方向の一例である。パネル５０の縦方向は第１の列方向の一例である。パネル５０の横方向は２の列方向の一例である。パネル５０の縦方向は第２所定方向の一例である。
【符号の説明】
【００７８】
１０：多機能機、５０：パネル、５１：座標検出部、Ａ１〜Ａ３：第１〜第３領域、Ｂ１１：「ファックス」ボタン、Ｂ１２：「コピー」ボタン、Ｂ１３：「スキャン」ボタン、Ｂ２１：「デジカメプリント」ボタン、Ｂ２２：「クラウド」ボタン、Ｂ２３：「Ａ３コピー」ボタン、Ｐ１：機能表示画像、Ｐ２：ショートカット画像、Ｐ３：ホーム画像
【図１】
2013092816.tif 000003
【図２】
2013092816.tif 000004
【図３】
2013092816.tif 000005
【図４】
2013092816.tif 000006
【図５】
2013092816.tif 000007
【図６】
2013092816.tif 000008
【図７】
2013092816.tif 000009
【図８】
2013092816.tif 000010
【図９】
2013092816.tif 000011
【図１０】
2013092816.tif 000012